(57)【要約】【課題】本発明の目的は、カバー部における光むらを抑制することのできる照明装置を提供することである。【解決手段】シャーシと、該シャーシに取り付けられる２つの電球形照明装置と、該２つの電球形照明装置を覆い前記シャーシに取り付けられるカバー部と、を有する照明装置において、前記２つの電球形照明装置は、該２つの電球形照明装置の発光側が互いに向かい合うように、かつ該２つの電球形照明装置の各々の中心軸が前記シャーシの面に対して０度より大きく９０度より小さくなるよう配置する。【選択図】  図２
2013222509.tif 000002
【特許請求の範囲】
【請求項１】
シャーシと、該シャーシに取り付けられる２つの電球形照明装置と、該２つの電球形照明装置を覆い前記シャーシに取り付けられるカバー部と、を有する照明装置において、
前記２つの電球形照明装置は、前記２つの電球形照明装置の発光側が互いに向かい合うように、かつ前記２つの電球形照明装置の各々の中心軸が前記シャーシの面に対して０度より大きく９０度より小さくなるよう配置することを特徴とする照明装置。
【請求項２】
請求項１に記載の照明装置において、
前記電球形照明装置は、光源にＬＥＤを用いたＬＥＤ電球であることを特徴とする照明装置。
【請求項３】
請求項１または２に記載の照明装置において、
前記カバー部は、遮光性の基部と透光性の透光カバーとからなり、
前記基部は、前記シャーシに取り付けられ、
前記２つの電球形照明装置は、当該２つの電球形照明装置の筐体部が基部の高さ以内に収まることを特徴とする照明装置。
【請求項４】
請求項１乃至３の何れか１項に記載の照明装置において、
前記シャーシの略中央部にＶ形反射板が設けられており、
前記２つの電球形照明装置は前記Ｖ形反射坂を挟んで左右に取り付けられることを特徴とする照明装置。
【請求項５】
略中央部にＶ形反射板を設けたシャーシと、前記Ｖ形反射板を挟んで左右に配置した２つのＬＥＤ電球と、遮光性の基部と透光性の透光カバーから構成されるカバー部と、を備えた概ね直方体の照明装置において、各々のＬＥＤ電球の発光側が互いに向かい合うように、かつ各々のＬＥＤ電球の中心軸は前記シャーシの面に対し０度より大きく前記ＬＥＤ電球の筐体部が前記基部の高さ以内に収まる角度となるよう傾けて配置することを特徴とする照明装置。
【請求項６】
請求項５に記載の照明装置において、前記Ｖ形反射板の高さは、前記基部の高さよりも低いことを特徴とする照明装置。
【請求項７】
請求項６に記載の照明装置において、前記Ｖ形反射板は、前記シャーシの略中央部に着脱自在であり、前記シャーシの略中央部に設けられる電源線接続部品や電源線は前記Ｖ形反射板と前記シャーシとの間に位置することを特徴とした照明装置。
【発明の詳細な説明】
【技術分野】
【０００１】
本発明は、照明装置に関するものである。
【背景技術】
【０００２】
照明器具は屋外用、屋内用多岐にわたり、その形態も下面開放タイプ、また、防水・防虫などを目的とした密閉形タイプなど様々なものが用いられている。
【０００３】
従来の照明装置として、光源となる２灯の電球形蛍光灯と、電球形蛍光灯を点灯させる点灯回路と、電球形蛍光灯と点灯回路を収納するケース（カバー部）と、を備えた照明装置において、各々の電球形蛍光灯の発光側が向かい合わせとなるように、かつ各々の電球形蛍光灯の軸が同軸に位置するように配置されているものがある（特許文献１）。
【先行技術文献】
【特許文献】
【０００４】
【特許文献１】特開２００２−２９８６１４号公報
【発明の概要】
【発明が解決しようとする課題】
【０００５】
特許文献１に記載の照明装置では、２灯の電球形蛍光灯の各々の軸が同軸に位置するよう配置されているため、カバー部において電球形蛍光灯の位置する箇所は電球形蛍光灯から離れた箇所よりも明るくなり、カバー部において光むらが生じる恐れがある。
【０００６】
本発明の目的は、カバー部における光むらを抑制することのできる照明装置を提供することである。
【課題を解決するための手段】
【０００７】
シャーシと、該シャーシに取り付けられる２つの電球形照明装置と、該２つの電球形照明装置を覆い前記シャーシに取り付けられるカバー部と、を有する照明装置において、前記２つの電球形照明装置は、該２つの電球形照明装置の発光側が互いに向かい合うように、かつ該２つの電球形照明装置の各々の中心軸が前記シャーシの面に対して０度より大きく９０度より小さくなるよう配置する。
【０００８】
また、略中央部にＶ形反射板を設けたシャーシと、前記Ｖ形反射板を挟んで左右に配置した２つのＬＥＤ電球と、遮光性の基部と透光性の透光カバーから構成されるカバー部と、を備えた概ね直方体の照明装置において、各々のＬＥＤ電球の発光側が互いに向かい合うように、かつ各々のＬＥＤ電球の中心軸は前記シャーシの面に対し０度より大きく前記ＬＥＤ電球の筐体部が前記基部の高さ以内に収まる角度となるよう配置する。
【発明の効果】
【０００９】
カバー部における光むらを抑制することのできる照明装置を提供することができる。
【図面の簡単な説明】
【００１０】
【図１】本発明の一実施例に係る照明装置の外観斜視図である。
【図２】本発明の一実施例に係る照明装置の分解斜視図である。
【図３】本発明の一実施例に係る照明装置の長手方向断面図である。
【発明を実施するための形態】
【００１１】
以下、実施例について図面を用いて説明する。
【００１２】
〔実施例〕
図１は本発明の一実施例に係る照明装置１の外観斜視図である。図２は本発明の一実施例に係る照明装置１の分解斜視図である。照明装置１は、シャーシ（器具本体）２と、光源載置部３０ａ、３０ｂと、電球ソケット１５、１６と、電球形照明装置としてＬＥＤ電球３、４と、反射板５と、カバー部６と、電源線接続部品２７と、から構成されている。照明装置１は、シャーシ２を天井等に取り付ける常設型の照明装置である。
【００１３】
以下、照明装置１におけるシャーシ２側（建物との取り付け側）を設置側（上側）、カバー部６側を照射側（下側）と呼ぶ。
【００１４】
照明装置１は、長手方向と短手方向を有する略直方体形状をしている。また、側面長手方向から見たときに設置側から照射側に向かって幅が狭まっていく形状をしている。
【００１５】
シャーシ２は、略平板の長方形状をしており、照射側の表面には反射材が塗布されている。これによりＬＥＤ電球３、４から設置側に出射された光を照射側に反射することができる。
【００１６】
反射板５は、側面長手方向から見たときにＶ形となる形状である。Ｖ形となる２３、２４の面を有している。反射板５は、シャーシ２の照射側の略中央部にナット２８などの固定部品により固定されている。反射板５により、ＬＥＤ電球３、４から照明装置１の短手方向に出射された光は反射板５で照射側に反射される。反射板５は、光を反射する効果を有して入ればよく、アルミなどの金属基板で構成してもよいし、２３、２４の面に反射材を塗布してもよい。
【００１７】
電源線接続部品２７は、シャーシ２において照射側の略中央部にてシャーシ２と反射板５との間に設けられている。電源線接続部品２７をシャーシ２と反射板５との間に設けることで電源線接続部品２７のシャーシ２からの垂れ下がりや、電源線接続部品２７の垂れ下がりによる影の発生を防止することができる。
【００１８】
光源載置部３０ａ、３０ｂは略平板形状をしており、シャーシ２において照射側に反射板５を挟んで長手方向左右側に設けられている。電球ソケット１５、１６は、それぞれ光源載置部３０ａ、３０ｂに略垂直となるよう固定されている。ＬＥＤ電球３、４は、光源にＬＥＤを用いている。更にＬＥＤ電球３、４は、ＬＥＤを覆う電球カバー７、８と、電球カバー７、８が取り付けられる筐体部１０、１１を有している。ＬＥＤ電球３、４は、電源ソケット１５、１６に着脱自在に取り付けられる。結果として、ＬＥＤ電球３、４は、発光側（電球カバー７、８側）が照明装置１の中央部方向を向くように、互いの発光側が向かい合うように取り付けられる。
【００１９】
光源載置部３０ａ、３０ｂは、シャーシ２の照射側面に対する角度が９０度より大きく１８０度より小さくなるように設けられている。そのため、光源載置部３０ａ、３０ｂに略垂直となるよう設けられている電源ソケット１５、１６は、シャーシ２の照射側面に対する角度が０度より大きく９０度より小さくなる。電源ソケット１５、１６に取り付けられるＬＥＤ電球３、４も、シャーシ２の照射側面に対する角度が０度より大きく９０度より小さくなる。これにより、ＬＥＤ電球３、４を電源ソケット１５、１６に取り付けた際に、ＬＥＤ電球の中心軸（ＬＥＤ電球３、４において口金から電球カバー７、８の頂点を通過する軸）がシャーシ２の照射側面に対して０度より大きく９０度より小さくなるように配置されることとなる。これにより、カバー部６における光ムラを抑制することが可能となる。
【００２０】
ＬＥＤ電球３、４は、電球ソケット１５、１６を介して電源線接続部品２７と電気的に接続されており、照明装置１の外部からの電力を電源線接続部品２７や電源ソケット１５、１６を介して受け取り発光する。
【００２１】
カバー部６は、遮光性材料を用いて形成された基部１２と、透光性材料を用いて形成された透光カバー１４と、により構成されている。基部１２は向かい合う２つの開口面を有する略直方体形状をしている。透光カバー１４は、１つの開口面を有する略直方体形状をしている。透光カバー１４の開口面は、基部１２の一方の開口面に面するように接続され、基部１２の一方の開口面を覆う。基部１２の他方の開口面はシャーシ２に面するように取り付けられる。
【００２２】
カバー部６の基部１２の両端には孔２９、３０が設けられており、シャーシ２において、光源載置部３０ａ、３０ｂよりも長手方向左右側に固定ねじ１７、１８が突設して設けられている。固定ねじ１７、１８を孔２９、３０に通し、固定ナット１９、２０を用いることで、カバー部６とシャーシ２とが接続される。カバー部６を設けることで、ＬＥＤ電球３、４や反射板５や電源線接続部品２７が照明装置１内で外れたときの落下を防止することができる。また、カバー部６とシャーシ２とを固定ねじ１７、１８と固定ナット１９、２０により接続することで、カバー部６をシャーシ２に係止するものに比べて強固に接続することができ、カバー部６の落下を抑制することができる。
【００２３】
図３は、本発明の一実施例に係る照明装置１の長手方向断面図である。Ｈは基部１２の高さを示す。高さｈ１は、ＬＥＤ電球３、４を取り付けた場合における、シャーシ２の照射側面からＬＥＤ電球３、４の筐体部１０、１１の下側までの高さである。高さｈ２は、反射板５を取り付けた場合における、シャーシ２の照射側面から反射板５のＶ字頂部までの高さである。２１、２２はＬＥＤ電球３、４の中心軸を示す。角度αは、シャーシ２の照射面に対するＬＥＤ電球３、４の中心軸２１、２２の角度を示す。ここで、αが０度より大きく９０度より小さい範囲であれば、角度αが０度であるときに比べ、カバー部６における光むらを抑制することが可能となる。
【００２４】
筐体部１０、１１はＬＥＤ電球３、４の電子回路部品を収容した非発光部である。そのため、角度αが０度より大きく９０度より小さい範囲であり、かつ高さｈ１が高さＨよりも高く（長く）ならない範囲であれば、カバー部６における光むらを抑制することが可能となる効果に加え、筐体部１０、１１が影となり透光カバー１４の側面部２５に映りこむことを防止する効果を奏することができる。
【００２５】
また、シャーシ２の略中央部に配置する反射板５は、左右の面２３、２４でＬＥＤ電球３、４からの光を下方向に反射させ透光カバー下面中央近傍部２６の光むらを改善するという効果を奏する。さらに、高さｈ２が高さＨよりも高く（長く）ならない範囲であれば、カバー部６における光むらを抑制することが可能となる効果に加え、反射板５が影となり透光カバー１４の側面部２５に映りこむことを防止する効果を奏することができる。
【００２６】
なお、本実施例においてＬＥＤ電球３、４を用いたがこの限りではない。白熱電球や電球形放電灯などの電球形照明装置でもよい。
【００２７】
ただし、照明器具の光源に関しては、従来は白熱電球、蛍光ランプ、ＨＩＤランプなど
が主流を成していたが、特に最近では省エネ・長寿命を特徴としたＬＥＤ光源の需要が急速に高まってきている。
【００２８】
現在、これらＬＥＤ光源の一般的な需要としては、既設の照明器具の光源のメンテナンス需要が大きい。特に一般家庭で多く使用されている照明器具の光源としては環形蛍光ランプ、直管蛍光ランプ、電球形蛍光ランプ、白熱電球などであるが、環形蛍光ランプ及び直管蛍光ランプ代替えのＬＥＤ光源は既設の器具に対しては電気工事を伴う器具改造が必要なことから一般家庭用としては極めて少量の需要に留まっている。反面、ねじ込み式の電球形蛍光ランプ、白熱電球代替えの光源としては家庭でも簡単に交換できるＬＥＤ電球の需要が大きいが、大半はダウンライトや小形天井シーリングライトなどに代表される１灯用の下面開放タイプの局所照明器具用光源として使用されている。
【００２９】
省エネ性に優れ、長寿命かつ、一般家庭での取り扱いが可能なＬＥＤ電球を更に普及促進させるためには、使用できる照明器具アイテムを増やすことが必要となってくる。
【００３０】
一般家庭で使用されている照明器具の形態には様々なものが使用されている。居室部の主照明以外では、例えば細長いキッチン天井や納戸天井、廊下天井などでは略直方体の下面カバーつき密閉形器具などがよく使用されている。しかし、これらの器具の光源としては、これまでは直管蛍光ランプが主流である。
【００３１】
ＬＥＤ電球を取り付ける照明装置であれば、一般家庭でも簡単にメンテナンスができ、しかも蛍光ランプより省エネ性に優れ、かつ長寿命が特長の照明装置を提供することができる。
【００３２】
また、ＬＥＤ電球は取り扱いが簡単であるが、従来の直管蛍光ランプに比べると点光源に近い光源のため、直方体器具に搭載した場合、ＬＥＤ電球近傍と、電球から離れた部位では光源を覆う透光カバーに大きな光むらが生じ、外観を著しく損ねる恐れがあった。
【００３３】
概ね、ＬＥＤ電球の構造上、バルブ部の口金寄り半分は電子回路部品が格納された筐体部となっている。特に、器具サイズをコンパクトにする意図でＬＥＤ電球を横に倒し水平配置するとＬＥＤ電球の非発光側である口金方向には殆ど光が届かず、透光カバーに大きな暗部が生じる恐れがあった。
【００３４】
光源をＬＥＤ電球とすることで、従来よく用いられている２０Ｗ形直管蛍光ランプを搭載した密閉形器具に対し、ＬＥＤ電球（白熱小形電球５０Ｗ相当）２灯搭載の器具では、明るさがほぼ同等で、消費電力は４３％低減可能となる。また光源寿命は４.７倍に伸び、ランプ交換の手間を大きく改善することが可能となる。
【００３５】
シャーシと、該シャーシに取り付けられる２つのＬＥＤ電球と、該２つのＬＥＤ電球を覆い前記シャーシに取り付けられるカバー部と、を有する照明装置において、前記２つのＬＥＤ電球は、該２つのＬＥＤ電球の発光側が互いに向かい合うように、かつ該２つのＬＥＤ電球の各々の中心軸が前記シャーシの面に対して０度より大きく９０度より小さくなるよう配置することで、カバー部６における光むらを抑制し、簡単にメンテナンスができ、蛍光ランプより省エネ性に優れ、かつ長寿命が特長の照明装置を提供することができる。
【符号の説明】
【００３６】
１  照明装置
２  シャーシ
３、４  ＬＥＤ電球
５  反射板
６  カバー部
７、８  電球カバー
１０、１１  筐体部
１２  基部
１４  透光カバー
１５、１６  電球ソケット
１７、１８  固定ねじ
１９、２０  固定ナット
２１、２２  ＬＥＤ電球３、４の中心軸
２３、２４  面
２５  透光カバー１４の側面部
２６  透光カバー１４下面中央近傍部
２７  電源線接続部品
２８  ナット
２９、３０  孔
３０ａ、３０ｂ  光源載置部
【図１】
2013222509.tif 000003
【図２】
2013222509.tif 000004
【図３】
2013222509.tif 000005